【手続補正書】
【提出日】平成19年8月6日(2007.8.6)
【手続補正１】
【補正対象書類名】明細書
【補正対象項目名】特許請求の範囲
【補正方法】変更
【補正の内容】
【特許請求の範囲】
【請求項１】
複数のカメラ、少なくとも１つのモニタおよび前記複数のカメラのうち前記モニタに撮影映像を表示させるカメラを切り換えるための映像切換器を有して構成される撮影装置と、前記映像切換器に対しＬＡＮ回線を用いてこの映像切換器に切換動作を行わせるための制御情報を送信するホストコンピュータとを有する撮影装置の制御システムであって、
前記映像切換器は、新たな制御情報を受信しない場合には、予め受信した制御情報に応じた切換状態を維持するものであり、
前記ホストコンピュータは、メインＬＡＮ回線およびサブＬＡＮ回線を選択的に用いて前記映像切換器に制御情報を送信することを特徴とする撮影装置の制御システム。
【請求項２】
前記ホストコンピュータは、前記メインＬＡＮ回線を用いた前記映像切換器への制御情報の送信が不能となったときに、前記サブＬＡＮ回線を用いて前記映像切換器に制御情報を送信することを特徴とする請求項１に記載の撮影装置の制御システム。
【請求項３】
前記ホストコンピュータは、前記メインＬＡＮ回線を用いた前記映像切換器への通信に対するアンサを受け取らないときに前記サブＬＡＮ回線を用いることを特徴とする請求項２に記載の撮影装置の制御システム。
【請求項４】
前記ホストコンピュータは、前記メインＬＡＮ回線および前記サブＬＡＮ回線を含む二重の物理層と、二重のデータリンク層と、１つのネットワーク層とを通じて前記映像切換器と通信を行うことを特徴とする請求項１から３のいずれかに記載の撮影装置の制御システム。
【請求項５】
前記映像切換器が複数設けられているとともに、前記ホストコンピュータは前記メインＬＡＮ回線および前記サブＬＡＮ回線を通じて前記複数の映像切換器と所定プロトコルでの情報の通信を行うものであり、
前記メインＬＡＮ回線および前記サブＬＡＮ回線と前記各映像切換器との間に、前記所定プロトコルの情報と前記映像切換器のそれぞれにおいて使用される専用プロトコルの情報との変換を行うプロトコル変換手段を設けたことを特徴とする請求項１から４のいずれかに記載の撮影装置の制御システム。
【請求項６】
前記ホストコンピュータは、前記メインＬＡＮ回線および前記サブＬＡＮ回線を含む二重の物理層と、二重のデータリンク層と、１つのネットワーク層とを通じて前記各映像切換器と通信を行うものであり、
前記プロトコル変換手段に、前記二重のデータリンク層に対する２つのアドレスと、前記１つのネットワーク層に対する１つのアドレスとを設定したことを特徴とする請求項５に記載の撮影装置の制御システム。
【請求項７】
前記カメラが、カメラ本体とこのカメラ本体を移動させる雲台とを有して構成されることを特徴とする請求項１から６のいずれかに記載の撮影装置の制御システム。
【請求項８】
複数のカメラ、少なくとも１つの操作装置および前記複数のカメラのうち前記操作装置による制御を行うカメラを切り換えるための操作切換器を有して構成される撮影装置と、前記操作切換器に対しＬＡＮ回線を用いてこの操作切換器に切換動作を行わせるための制御情報を送信するホストコンピュータとを有する撮影装置の制御システムであって、
前記操作切換器は、新たな制御情報を受信しない場合には、予め受信した制御情報に応じた切換状態を維持するものであり、
前記ホストコンピュータは、メインＬＡＮ回線およびサブＬＡＮ回線を選択的に用いて前記操作切換器に制御情報を送信することを特徴とする撮影装置の制御システム。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００２７
【補正方法】変更
【補正の内容】
【００２７】
１０３は映像切換器である。この映像切換器１０３には、中継用カメラ１１３、監視用カメラ１１６およびスタジオ用カメラ１１７といった各種カメラから送信された映像情報が入力される。そして映像切換器１０３は、ホスト又はサブコンピュータ１０１，１０２からの映像切換指令（制御情報）に応答して、入力されたこれら映像情報をモニタ１０５〜１０８に振り分けて表示させる。すなわち、映像切換器１０３の作動により、入力された映像情報のうちモニタ１０５〜１０８に表示させる映像情報（つまりは、撮影映像をモニタ表示させるカメラ）を切り換えることができ、また映像情報を表示するモニタを任意に切り換えることもできる。なお、カメラ１１３，１１６，１１７等のカメラ、モニタ１０５〜１０８および映像切換器１０３により撮影装置が構成される。
【手続補正５】
【補正対象書類名】明細書
【補正対象項目名】００２８
【補正方法】変更
【補正の内容】
【００２８】
１０４は操作切換器である。この操作切換器１０４には、カメラオペレータが各カメラ１１３，１１６，１１７のパンニング、チルティング、フォーカシング、ズーミングおよびＩＲＩＳ調節などの操作を行うオペレーションボックス（ＯＰ：操作装置）１０９〜１１２が接続されている。そして、操作切換器１０４は、ホスト又はサブコンピュータ１０１，１０２からの操作切換指令（制御情報）に応答して、オペレーションボックス１０９〜１１２にて生成された信号を中継用カメラ１１３、監視用カメラ１１６およびスタジオ用カメラ１１７といった各種カメラのうちいずれのカメラに送信するかを切り換えるよう動作する。なお、カメラ１１３，１１６，１１７等のカメラ、オペレーションボックス１０９〜１１２および操作切換器１０４により撮影装置が構成される。
【手続補正６】
【補正対象書類名】明細書
【補正対象項目名】００３４
【補正方法】変更
【補正の内容】
【００３４】
映像切換器１０３および操作切換器１０４は、前述したようにメイン又はサブコンピュータ１０１，１０２からの映像切換指令や操作切換指令を受けて切り換え動作するが、メインおよびサブコンピュータ１０１，１０２は多重化ＬＡＮ回線１２７に接続されているとともに、映像切換器１０３および操作切換器１０４はこの多重化ＬＡＮ回線１２７にＬＡＮアダプタ（プロトコル変換手段）１２５，１２６を介して接続されている。
【手続補正７】
【補正対象書類名】明細書
【補正対象項目名】００３５
【補正方法】変更
【補正の内容】
【００３５】
メイン又はサブコンピュータ１０１，１０２からの映像切換指令や操作切換指令はＬＡＮアダプタ１２５，１２６に入力され、これらＬＡＮアダプタ１２５，１２６にて映像切換器１０３や操作切換器１０４に専用のプロトコルの指令に変換された上で、ＲＳ２３２Ｃ端子を通じて映像切換器１０３や操作切換器１０４に入力される。
【手続補正８】
【補正対象書類名】明細書
【補正対象項目名】００３７
【補正方法】変更
【補正の内容】
【００３７】
なお、図１には、複数のカメラ（１１３，１１６，１１７等）、モニタ１０５〜１０８、オペレーションボックス１０９〜１１２、映像切換器１０３および操作切換器１０４からなる１つの撮影・モニタブロックを示しているが、実際には、多重化ＬＡＮ回線１２７は複数の撮影・モニタブロックに接続され、メインコンピュータ１０１およびサブコンピュータ１０２はこれら撮影・モニタブロックを集中管理・制御するものである。
【手続補正９】
【補正対象書類名】明細書
【補正対象項目名】００４４
【補正方法】変更
【補正の内容】
【００４４】
本実施形態では、上記３つの多重化方式のうち、ネットワーク層（ＩＰアドレス）接続に負担をかけない（２）の方式を採用している。すなわち、（１）の方式のようにＬＡＮカードが故障した際にシステム全体のダウンを招く場合に比べて信頼性等が高く、かつ（３）の方式のようにＩＰアドレスを２つ設定することによる通信対象の増加に伴ってＩＰアドレス登録数が膨大になる場合に比べて少ないＩＰアドレス登録数で済む（２）の方式を採用する。
【手続補正１０】
【補正対象書類名】明細書
【補正対象項目名】００５３
【補正方法】変更
【補正の内容】
【００５３】
また一般に、操作切換器５０２、５０４や映像切換器５０３，５０５のインターフェースはＲＳ２３２Ｃとなっている。したがって、このような機器（インターフェースとして、他にセントロニクス、ＧＰＩＢ、ＳＣＳＩなどがある）はＬＡＮ回線に直接接続できない。
【手続補正１１】
【補正対象書類名】明細書
【補正対象項目名】００５４
【補正方法】変更
【補正の内容】
【００５４】
そこで、本実施形態では、図５（２）に示すように、プロトコルコンバータを内蔵したＬＡＮアダプタ（図１に示すＬＡＮアダプタ１２５，１２６に相当する）５０６を用意し、ホストコンピュータ５０１とはＬＡＮ回線で接続し、操作切換器や映像切換器５０２〜５０５とはＲＳ２３２Ｃなどで接続している。
【手続補正１２】
【補正対象書類名】明細書
【補正対象項目名】００８７
【補正方法】変更
【補正の内容】
【００８７】
なお、上記説明では、プロトコル設定操作スイッチ６０５を利用してプロトコルコンバートプログラム設定モードが設定できるようにしているが、プロトコル設定操作スイッチ６０５とは別にプロトコルコンバートプログラム設定モードを設定するためのスイッチを設けてもよい。
【手続補正１３】
【補正対象書類名】明細書
【補正対象項目名】００８９
【補正方法】変更
【補正の内容】
【００８９】
まず、ステップ１１０１で、スイッチ６０５を用いずに、ＬＡＮアダプタにプロトコルコンバートプログラム設定コマンドを転送し、プロトコルコンバートプログラム設定モードにする。
【手続補正１４】
【補正対象書類名】明細書
【補正対象項目名】００９０
【補正方法】変更
【補正の内容】
【００９０】
続いて、ステップ１１０２で、プロトコルコンバートプログラム番号を転送し、さらにステップ１１０３でプロトコルコンバートプログラムを転送する。
【手続補正１５】
【補正対象書類名】明細書
【補正対象項目名】００９６
【補正方法】変更
【補正の内容】
【００９６】
システム管理・制御データの転送があった場合は、ステップ７０２で、そのシステム管理・制御データをセーブする。データの転送がなかった場合はそのままステップ７０３に進む。
【手続補正１６】
【補正対象書類名】明細書
【補正対象項目名】０１０７
【補正方法】変更
【補正の内容】
【０１０７】
ステップ７１０では、サブコンピュータ１０２からメインコンピュータ１０１に管理・制御を移管するかどうかをサブコンピュータ１０２のオペレータ等に問い合わせる。オペレータ等がサブコンピュータ１０２からの管理・制御を続行したい場合（例えば、問い合わせウインドウでＮＯを選択した場合）はステップ７１０を繰り返す。但し、上記問い合わせをすぐに繰り返すのではなく、一定時間をおいた後に、上記問い合わせを繰り返すようにする。一方、サブコンピュータ１０２からメインコンピュータ１０１に管理・制御を移管したい場合（例えば、問い合わせウインドウでＹＥＳを選択した場合）は、ステップ７１１に進む。
【手続補正１７】
【補正対象書類名】明細書
【補正対象項目名】０１１４
【補正方法】変更
【補正の内容】
【０１１４】
ステップ１００４では、ステップ１００３で測定した経過時間と予め決められた基準時間とを比較し、経過時間がまだ基準時間内であればステップ１００３に戻って時間測定を続行する。また、経過時間が基準時間以上となったときは、ＬＡＮ１に異常が生じたものとしてステップ１００５に進む。
【手続補正１８】
【補正対象書類名】明細書
【補正対象項目名】０１２０
【補正方法】変更
【補正の内容】
【０１２０】
さらに、図１３に示すように、撮影装置に、使用するカメラやモニタ映像の自動切換制御を行う端末コンピュータ（この場合、このコンピュータが映像切換器および操作切換器に相当する）を含む場合に、ホストコンピュータと端末コンピュータとをＬＡＮアダプタを介してＬＡＮ接続し、ホストコンピュータにより端末コンピュータに制御情報を送信するようにしてもよい。
【手続補正１９】
【補正対象書類名】図面
【補正対象項目名】図２
【補正方法】変更
【補正の内容】
【図２】
2002051237.tif 000001
【手続補正２０】
【補正対象書類名】図面
【補正対象項目名】図４
【補正方法】変更
【補正の内容】
【図４】
2002051237.tif 000002
【手続補正２１】
【補正対象書類名】図面
【補正対象項目名】図５
【補正方法】変更
【補正の内容】
【図５】
2002051237.tif 000003
【手続補正２２】
【補正対象書類名】図面
【補正対象項目名】図１０
【補正方法】変更
【補正の内容】
【図１０】
2002051237.tif 000004